(57)【要約】【課題】リアル・タイムのライフスタイル推薦システムを提供する。【解決手段】推薦を提供する方法を提供する。この方法は、第１のデバイスにおいて、第２のデバイスから、ユーザ提供情報を受信するステップを含む。ユーザ提供情報は、ユーザ好み情報及びユーザ会計許可を含む。ユーザ会計許可に基づいて、第１のデバイスからユーザ会計情報を要求する。第１のデバイスにおいて、第３のデバイスから、要求したユーザ会計情報を受信する。第１のデバイスによってアクセス可能なデバイスにおいて、受信したユーザ提供情報及び受信したユーザ会計情報を記憶する。第２のデバイスから、推薦を求める要求を受信する。記憶したユーザ提供情報及び記憶したユーザ会計情報に基づいて、推薦を決定する。決定した推薦を第１のデバイスから第２のデバイスに送信する。【選択図】図６
2010055592.tif 000002
【特許請求の範囲】
【請求項１】
デバイスであって、
第２のデバイスから第１の情報を受信するように構成された通信インタフェースと、
プロセッサと、
コンピュータ読み取り可能命令を含むコンピュータ読み取り可能媒体であって、前記コンピュータ読み取り可能命令が、前記プロセッサによって実行されると、前記デバイスに、
ユーザ提供情報及びユーザ会計情報を含む前記第１の情報を受信させ、前記ユーザ提供情報がユーザ好み情報及びユーザ会計許可を含み、
前記ユーザ会計許可に基づいて第３のデバイスからユーザ会計情報を要求させ、
前記第３のデバイスから前記要求したユーザ会計情報を受信させ、
前記デバイスによってアクセス可能な第４のデバイスにおいて前記受信したユーザ提供情報及び前記受信したユーザ会計情報を記憶させ、
前記第２のデバイスから推薦を求める要求を受信させ、
前記要求の受信後、前記記憶したユーザ提供情報及び前記記憶したユーザ会計情報に基づいて前記推薦を決定させ、
前記決定した推薦を前記第２のデバイスに送信させる、コンピュータ読み取り可能媒体と、
を備える、デバイス。
【請求項２】
前記コンピュータ読み取り可能命令が、前記デバイスに、ネットワークを介して提供される一般情報サービスを監視させて、前記ユーザ提供情報に基づいて一般情報を識別させる、請求項１に記載のデバイス。
【請求項３】
前記推薦の決定が、更に、前記識別した一般情報に基づいている、請求項２に記載のデバイス。
【請求項４】
コンピュータ読み取り可能命令を含むコンピュータ読み取り可能媒体であって、前記コンピュータ読み取り可能命令が、プロセッサによって実行されると、デバイスに、
第２のデバイスから、ユーザ好み情報及びユーザ会計許可を含むユーザ提供情報を受信させ、
前記ユーザ会計許可に基づいて第３のデバイスからユーザ会計情報を要求させ、
前記第３のデバイスから前記要求したユーザ会計情報を受信させ、
前記デバイスによってアクセス可能な第４のデバイスにおいて前記受信したユーザ提供情報及び前記受信したユーザ会計情報を記憶させ、
前記第２のデバイスから推薦を求める要求を受信させ、
前記記憶したユーザ提供情報及び前記記憶したユーザ会計情報に基づいて前記要求した推薦を決定させ、
前記決定した推薦を前記第２のデバイスに送信させる、コンピュータ読み取り可能媒体。
【請求項５】
前記推薦の決定が、前記記憶したユーザ提供情報及び前記記憶したユーザ会計情報を用いて前記第２のデバイスから受信したライフスタイル推薦アプリケーションの実行を含む、請求項４に記載のコンピュータ読み取り可能媒体。
【請求項６】
前記ユーザ提供情報が、更に、複数のユーザ・デバイスに関連したユーザ・デバイス情報を含む、請求項４に記載のコンピュータ読み取り可能媒体。
【請求項７】
前記コンピュータ読み取り可能命令が、更に、前記デバイスに、前記ユーザ・デバイス情報に基づいて前記推薦を送信するユーザ・デバイスを前記複数のユーザ・デバイスの中から決定させる、請求項６に記載のコンピュータ読み取り可能媒体。
【請求項８】
前記推薦の決定が、更に、前記受信した要求に含まれる情報に基づいている、請求項４に記載のコンピュータ読み取り可能媒体。
【請求項９】
前記コンピュータ読み取り可能命令が、更に、デバイスに、ネットワークを介して提供される一般情報サービスを監視させて、前記ユーザ提供情報に基づいて一般情報を識別させる、請求項４に記載のコンピュータ読み取り可能媒体。
【請求項１０】
前記推薦の決定が、更に、前記識別した一般情報に基づいている、請求項９に記載のコンピュータ読み取り可能媒体。
【請求項１１】
推薦を提供する方法であって、
第１のデバイスにおいて、第２のデバイスから、ユーザ好み情報及びユーザ会計許可を含むユーザ提供情報を受信するステップと、
前記ユーザ会計許可に基づいて第３のデバイスからユーザ会計情報を要求するステップと、
前記第１のデバイスにおいて、前記第３のデバイスから前記要求したユーザ会計情報を受信するステップと、
前記第１のデバイスによってアクセス可能なデバイスにおいて前記受信したユーザ提供情報及び前記受信したユーザ会計情報を記憶するステップと、
前記第２のデバイスから推薦を求める要求を受信するステップと、
前記記憶したユーザ提供情報及び前記記憶したユーザ会計情報に基づいて前記要求した推薦を決定するステップと、
前記決定した推薦を前記第１のデバイスから前記第２のデバイスに送信するステップと、
を備える、方法。
【請求項１２】
前記第１のデバイスにおいて、前記第２のデバイスからライフスタイル推薦アプリケーションを受信するステップを更に備える、請求項１１に記載の方法。
【請求項１３】
前記推薦を決定するステップが、前記記憶したユーザ提供情報及び前記記憶したユーザ会計情報を用いて前記第１のデバイスにおいて前記受信したライフスタイル推薦アプリケーションを実行することを含む、請求項１２に記載の方法。
【請求項１４】
前記ユーザ提供情報が、更に、複数のユーザ・デバイスに関連したユーザ・デバイス情報を含む、請求項１１に記載の方法。
【請求項１５】
前記ユーザ・デバイス情報に基づいて前記推薦を送信するユーザ・デバイスを前記複数のユーザ・デバイスの中から決定するステップを更に含む、請求項１４に記載の方法。
【請求項１６】
前記推薦の決定が、更に、前記受信した要求に含まれる情報に基づいている、請求項１１に記載の方法。
【請求項１７】
前記情報が、前記要求を開始するユーザ・デバイスの位置を含む、請求項１６に記載の方法。
【請求項１８】
前記情報が、前記要求を開始するユーザ・デバイスにおける問題の指示を含む、請求項１６に記載の方法。
【請求項１９】
前記第１のデバイスから、ネットワークを介して提供される一般情報サービスを監視して、前記ユーザ提供情報に基づいて一般情報を識別するステップを更に備える、請求項１１に記載の方法。
【請求項２０】
前記推薦の決定が、更に、前記識別した一般情報に基づいている、請求項１９に記載の方法。
【発明の詳細な説明】
【発明の概要】
【０００１】
[0001]  音楽、個人的な趣味、映画、不動産、保険、レストラン等を含む様々な領域において推薦を行うために、ライフスタイル推薦システムが存在する。いくつかのシステムは、好みを統合して、編集された好み設定にすることができる。編集された好み設定とは、ユーザが規定するパラメータに基づいて、温度、気候、媒体、照明、セキュリティ設定等を調節する家庭内のもの等である。現在、カスタマイズしたシステムの使用は、推薦システムからの情報受信に応えてユーザが行う要求に基づいて機能する。いくつかのシステムにおいては、システムは、センサが事故を検知してこの事故をサービスに報告することに応えるようにプログラムされているという問題が検出される場合がある。
【０００２】
[0002]  本開示の前述及び他の特徴は、添付図面と関連付けた以下の説明及び添付の特許請求の範囲から、より充分に明らかとなろう。これらの図面は、この開示に従ったいくつかの実施形態を示すのみであり、従って、その範囲を限定するとは見なされないことを理解した上で、添付図面を用いて本開示を更に具体的かつ詳細に記載する。
【図面の簡単な説明】
【０００３】
【図１】[0003]  図１は、例示的な実施形態に従ったライフスタイル推薦システムのブロック図である。
【図２】[0004]  図２は、例示的な実施形態に従った、図１のライフスタイル推薦システムのユーザ・コンピューティング・デバイスのブロック図である。
【図３】[0005]  図３は、例示的な実施形態に従った、図１のライフスタイル推薦システムのミドルウェア・システムのブロック図である。
【図４】[0006]  図４は、例示的な実施形態に従った、図１のライフスタイル推薦システムのクラウド・コンピューティング・システムのブロック図である。
【図５】[0007]  図５は、例示的な実施形態に従った、図４のクラウド・コンピューティング・システムが実行する動作を示すフロー図である。
【図６】[0008]  図６は、例示的な実施形態に従った、図２のユーザ・コンピューティング・デバイスが実行する動作を示すフロー図である。
【図７】[0009]  図７は、例示的な実施形態に従った、図３のミドルウェア・システムが実行する動作を示すフロー図である。
【発明を実施するための形態】
【０００４】
[0010]  以下の詳細な説明において、その一部を形成する添付図面を参照する。図面において、状況に応じて求められる例外を除けば、同様の記号は通常、同様の構成要素を識別する。詳細な説明、図面、及び特許請求の範囲において記載される例示的な実施形態は、限定を意図したものではない。ここに提示する主題の精神又は範囲から逸脱することなく、他の実施形態も利用することができ、他の変更も行うことができる。本開示の態様は、ここに一般的に記載するように、更に図面に示すように、多種多様な異なる構成において配置し、置換し、組み合わせ、及び設計することができ、それらの構成は全て明示的に検討され、この開示の一部を成すことは容易に理解されよう。
【０００５】
[0011]  ユーザによって提供された情報、ライフスタイル推薦システムによってアクセス可能なユーザ情報、ライフスタイル推薦に影響を及ぼし得る一般情報、及び現在のユーザ位置情報を用いた、ライフスタイル推薦システムのための例示的なシステム、方法、デバイス等を記載する。図１を参照すると、例示的な実施形態に従ったライフスタイル推薦システム１００のブロック図が示されている。ライフスタイル推薦システム１００は、１つ以上のユーザ・コンピューティング・デバイス１０２ａ、１０２ｂ、・・・、１０２ｎ、ミドルウェア・システム１０４、クラウド・コンピューティング・システム１０６、１つ以上のユーザ会計情報デバイス（ｕｓｅｒ  ａｃｃｏｕｎｔ  ｉｎｆｏｒｍａｔｉｏｎ  ｄｅｖｉｃｅｓ）１１６ａ、・・・、１１６ｎ、及び１つ以上の一般情報デバイス１１８ａ、・・・、１１８ｎを含むことができる。１つ以上のユーザ・コンピューティング・デバイス１０２ａ、１０２ｂ、・・・、１０２ｎは、ラップトップ、デスクトップ、サーバ、一体型メッセージング・デバイス、パーソナル・デジタル・アシスタント、携帯電話、ｉＰｏｄ（登録商標）等を含むいずれかのフォーム・ファクタのコンピュータとすれば良い。１つ以上のユーザ・コンピューティング・デバイス１０２ａ、１０２ｂ、・・・、１０２ｎは、同一及び／又は異なるユーザに関連付けることができる。１つ以上のユーザ会計情報デバイス１１６ａ、・・・、１１６ｎ及び１つ以上の一般情報デバイス１１８ａ、・・・１１８ｎは、いずれかのフォーム・ファクタのコンピュータとすれば良い。１つ以上のユーザ・コンピューティング・デバイス１０２ａ、１０２ｂ、・・・、１０２ｎ、ミドルウェア・システム１０４、クラウド・コンピューティング・システム１０６、１つ以上のユーザ会計情報デバイス１１６ａ、・・・、１１６ｎ、及び１つ以上の一般情報デバイス１１８ａ、・・・、１１８ｎに関連付けられたデバイスは、ネットワーク１０８を用いて通信を行うことができる。ネットワーク１０８は、セル式ネットワーク、ピア・ツー・ピア・ネットワーク、インターネット、ローカル・エリア・ネットワーク、ワイド・エリア・ネットワーク、Ｗｉ−Ｆｉネットワーク、Bluetooth（登録商標）ネットワーク等を含む１つ以上の種類のネットワークを含むことができる。
【０００６】
[0012]  クラウド・コンピューティング・システム１０６は、１つ以上のサーバ１１０及び１つ以上のデータベース１１４を含むことができる。クラウド・コンピューティング・システムとは、ネットワークを介してアクセス可能であり、ユーザにオン・デマンドのコンピューティング・サービスを提供する１つ以上の計算リソースを指す。１つ以上のサーバ１１０は、１つ以上のコンピューティング・デバイス１１２ａ、１１２ｂ、・・・、１１２ｎを含むことができ、これらはいずれかのフォーム・ファクタのコンピュータとすれば良い。１つ以上のデータベース１１４は、第１のデータベース１１４ａ、・・・及びｎ番目のデータベース１１４ｎを含むことができる。１つ以上のデータベース１１４は、１つ以上のサーバ１１０の１つ以上に収容することができ、あるいは、１つ以上のサーバ１１０が有線もしくは無線接続を介して直接又はネットワーク１０８を介してアクセス可能である別個のコンピューティング・デバイスに収容することができる。１つ以上のデータベース１１４は、複数の層に編成することができ、限定されることなく様々なデータベース技術を用いて作り出すことができる。クラウド・コンピューティング・システム１０６の構成要素は、単一のコンピューティング・デバイスにおいて、又は単一の位置、単一の設備における複数のコンピューティング・デバイスにおいて実施することができ、及び／又は相互にリモートとすることができる。
【０００７】
[0013]  図２を参照すると、例示的な実施形態に従ったライフスタイル推薦システム１００のユーザ・コンピューティング・デバイス１０２のブロック図が示されている。ユーザ・コンピューティング・デバイス１０２は、入力インタフェース２００、出力インタフェース２０２、通信インタフェース２０４、コンピュータ読み取り可能媒体２０６、プロセッサ２０８、及び推薦システム・アプリケーション２１０を含むことができる。限定されることなく、ユーザ・コンピューティング・デバイス１０２に、異なる追加の構成要素も組み込むことができる。推薦システム・アプリケーション２１０は、ユーザによって選択可能かつ制御可能な機能を有するグラフィカル・ユーザ・インタフェースを提供する。推薦システム・アプリケーション２１０は、ブラウザ・アプリケーション又は他のユーザ・インタフェース・ベースのアプリケーションを含むことができ、これがミドルウェア・システム１０４と情報のやり取りをして、自動的に、又はユーザの制御のもとで、レストランの推薦等のライフスタイル推薦を求める要求を送出する。
【０００８】
[0014]  入力インタフェース２００は、当業者には既知のように、ユーザ・コンピューティング・デバイス１０２に入力されるユーザからの情報を受信するためのインタフェースを提供する。入力インタフェース２００は、キーボード、ペン及びタッチ・スクリーン、マウス、トラック・ボール、タッチ・スクリーン、キーパッド、１つ以上のボタン等を含むがこれらには限定されない様々な入力技術と相互作用して、ユーザがユーザ・コンピューティング・デバイス１０２に情報を入力することを可能とし、又は、推薦システム・アプリケーション２１０の制御のもとにディスプレイを用いて表示されるユーザ・インタフェースに提示される選択肢を選ぶのを可能とする。入力インタフェース１０４は、入力及び出力インタフェースの双方を提供することも可能である。例えば、タッチ・スクリーンによって、ユーザ入力及びユーザに対する出力の提示の双方を可能とする。ユーザ・コンピューティング・デバイス１０２は、同一又は異なるインタフェース技術を用いる１つ以上の入力インタフェースを有する場合がある。
【０００９】
[0015]  出力インタフェース２０２は、ユーザ・コンピューティング・デバイス１０２のユーザによる検討用の情報を出力するためのインタフェースを提供する。例えば、出力インタフェース２０２は、ディスプレイ、プリンタ、スピーカ等に対するインタフェースを含むことができる。ディスプレイは、薄膜トランジスタ・ディスプレイ、発光ダイオード・ディスプレイ、液晶ディスプレイ等を含むがこれらには限定されない様々なディスプレイのいずれかとすれば良い。プリンタは、インク・ジェット・プリンタ、レーザ・プリンタ等を含むがこれらには限定されない様々なプリンタのいずれかとすれば良い。ユーザ・コンピューティング・デバイス１０２は、同一又は異なるインタフェース技術を用いる１つ以上の出力インタフェースを有する場合がある。
【００１０】
[0016]  通信インタフェース２０４は、様々なプロトコル、伝送技術、及び媒体を用いてデバイス間でデータを送受信するためのインタフェースを提供する。通信インタフェースは、有線又は無線とすることができる様々な伝送媒体を用いた通信をサポートすることができる。ユーザ・コンピューティング・デバイス１０２は、同一又は異なるプロトコル、伝送技術、及び媒体を用いる１つ以上の通信インタフェースを有する場合がある。
【００１１】
[0017]  コンピュータ読み取り可能媒体２０６は、プロセッサ２０８によってアクセス可能であるように情報を電子的に保持する場所又は記憶する領域である。コンピュータ読み取り可能媒体２０６は、いずれかのタイプのランダム・アクセス・メモリ（ＲＡＭ）、いずれかのタイプのリード・オンリ・メモリ（ＲＯＭ）、いずれかのタイプのフラッシュ・メモリ等を含むがこれらには限定されない。例えば、磁気記憶デバイス（例えばハード・ディスク、フロッピ・ディスク、磁気ストリップ）、光ディスク（例えばコンパクト・ディスク（ＣＤ）、デジタル多用途ディスク（ＤＶＤ））スマート・カード、フラッシュ・メモリ・デバイス等である。ユーザ・コンピューティング・デバイス１０２は、同一又は異なるメモリ媒体技術を用いる１つ以上のコンピュータ読み取り可能媒体を有する場合がある。また、ユーザ・コンピューティング・デバイス１０２は、ＣＤ、ＤＶＤ、フラッシュ・メモリ・カード等のメモリ媒体の装填をサポートする１つ以上のドライブを有する場合がある。
【００１２】
[0018]  プロセッサ２０８は、当業者に既知のように命令を実行する。命令は、特殊用途コンピュータ、論理回路、又はハードウェア回路によって行うことができる。従って、プロセッサ２０８は、ハードウェア、ファームウェア、ソフトウェア、又はこれらの方法のいずれかの組み合わせで実施可能である。「実行」という用語は、アプリケーションを動作させるプロセス又は命令によって要求される動作を行うことである。命令は、１つ以上のプログラミング言語、スクリプト言語、アセンブリ言語等を用いて書くことができる。プロセッサ２０８は命令を実行し、これが意味するのは、その命令によって要求される動作を実行するということである。プロセッサ２０８は、入力インタフェース２００、出力インタフェース２０２、通信インタフェース２０４、コンピュータ読み取り可能媒体２０６、及び推薦システム・アプリケーション２１０と動作的に結合して、情報を受信、送信、及び処理する。プロセッサ２０８は、永久メモリ・デバイスから１組の命令を検索し、その命令を実行可能な形態で、一般的には何らかの形態のＲＡＭである一時メモリ・デバイスにコピーすることができる。ユーザ・コンピューティング・デバイス１０２は、同一又は異なる処理技術を用いる複数のプロセッサを含む場合がある。
【００１３】
[0019]  図３を参照すると、例示的な実施形態に従ったライフスタイル推薦システム１００のミドルウェア・システム１０４のブロック図が示されている。ミドルウェア・システム１０４は、入力インタフェース３００、出力インタフェース３０２、通信インタフェース３０４、コンピュータ読み取り可能媒体３０６、プロセッサ３０８、及びライフスタイル推薦アーキテクチャ３１０を含むことができる。限定されることなく、ミドルウェア・システム１０４に、異なる追加の構成要素も組み込むことができる。例えば、ミドルウェア・システム１０４は、ミドルウェア・システム１０４によって直接アクセス可能であるか、又はネットワーク１０８等のネットワークを用いてミドルウェア・システム１０４によってアクセス可能であるデータベースを含むことができる。ミドルウェア・システム１０４は、更に、ミドルウェア・システム１０４に伝達された情報を一時的に記憶するためのキャッシュを含むことも可能である。入力インタフェース３００は、入力インタフェース２００と同様の機能を提供する。出力インタフェース３０２は、出力インタフェース２０２と同様の機能を提供する。通信インタフェース３０４は、通信インタフェース２０４と同様の機能を提供する。コンピュータ読み取り可能媒体３０６は、コンピュータ読み取り可能媒体２０６と同様の機能を提供する。プロセッサ３０８は、プロセッサ２０８と同様の機能を提供する。
【００１４】
[0020]  ライフスタイル推薦アーキテクチャ３１０は、ライフスタイル推薦制御アプリケーション３１２、アプリケーション・エンジン３１４、ビジネス・コンポーネント３１６、及びハードウェア抽象化層３１８を含むことができる。ライフスタイル推薦制御アプリケーション３１２は、クラウド・コンピューティング・システム１０６とユーザ・コンピューティング・デバイス１０２との間のインタフェースに関連した動作を含んで、ユーザ情報を維持して編成し、ライフスタイル推薦を求める要求を処理する。ライフスタイル推薦アーキテクチャ３１０は、ユーザが利用した以前の推薦とともに、今後のための推薦、過去の推薦のリスト及びユーザの幸福度に基づいた結果を含むように設定又は調整することができる最新の推薦の送出をサポートする機能を含む。
【００１５】
[0021]  ライフスタイル推薦アーキテクチャ３１０は、負荷分散サーバ、コンテンツ・サーバ、データベース・サーバ、アプリケーション・サーバ、及び登録サーバを用いることができる。アプリケーション及び登録サーバは、ユーザのための登録プロセスを容易にすると共に、推薦システム・アプリケーション２１０のダウンロード及びアプリケーション更新を容易にする。ミドルウェア・システム１０４は、ユーザから受信した登録情報に基づいて、１つ以上のユーザ・コンピューティング・デバイス１０２ａ、１０２ｂ、・・・、１０２ｎのための正しいソフトウェア・アプリケーションをダウンロードするように構成されている。登録プロセスの間、ユーザは、ユーザのライフスタイル上の選択及び好みの識別に役立ついくつかの欄に記入すれば良い。ユーザ関連データは、１つ以上のユーザ・コンピューティング・デバイス１０２ａ、１０２ｂ、・・・、１０２ｎから受信され、アプリケーション及びデータベース・サーバを用いてフォーマットされる。負荷分散サーバは、ユーザから送信されたデータからユーザのクエリをソートし、ライフスタイル推薦システム１００に対するユーザのアクセス及び適用性から生じる外部データ・ソースをソートする。ミドルウェア・システム１０４は、匿名データ・ポイントをクラウド・コンピューティング・システム１０６に送信する。このデータ・ポイントは、ユーザの現在の設定及び情報と共に、いずれかの新しいデータ及びクラウド・コンピューティング・システム１０６のセキュリティ仕様を構成する。
【００１６】
[0022]  図４を参照すると、例示的な実施形態に従った、ライフスタイル推薦システム１００のクラウド・コンピューティング・システム１０６に関連したモジュールのブロック図が示されている。クラウド・コンピューティング・システム１０６は、インタフェース・モジュール４００、サービス・カタログ４０２、供給ツール４０４、監視及び計測モジュール４０６、システム管理モジュール４０８、及び１つ以上のサーバ１１０を含むことができる。限定されることなく、クラウド・コンピューティング・システム１０６に、異なる追加の構成要素も組み込むことができる。例えば、クラウド・コンピューティング・システム１０６は、１つ以上のデータベース１１４を更に含むことも可能である。ミドルウェア・システム１０４は、インタフェース・モジュール４００とインタラクトしてサービスを要求する。サービス・カタログ４０２は、ミドルウェア・システム１０４が要求することができるサービスのリストを提供する。供給ツール４０４は、１つ以上のサーバ１１０からの計算リソースを割り当てて要求されたサービスを送出し、１つ以上のサーバ１１０において実行するために必要な画像を展開することができる。監視及び計測モジュール４０６は、１つ以上のサーバ１１０の使用を追跡して、例えば課金の目的のために、用いたリソースをあるユーザに属させることができる。システム管理モジュール４０８は、１つ以上のサーバ１１０を管理する。１つ以上のサーバ１１０は、平行に延びている格子内にあるかのように相互接続することができる。
【００１７】
[0023]  インタフェース・モジュール４００は、サービス・カタログ４０２からのサービス選択を可能とするように構成することができる。選択されたサービスに関連した要求は、システム管理モジュール４０８に送信することができる。システム管理モジュール４０８は、サーバ１１０の１つ以上及び／又はデータベース１１４の１つ以上等、利用可能なリソースを識別する。システム管理モジュール４０８は、供給ツール４０４を呼び出して、識別したリソースを割り当てる。供給ツール４０４は、要求されたスタック又はウェブ・アプリケーションも展開することができる。
【００１８】
[0024]  図５を参照すると、クラウド・コンピューティング・システム１０６によって実行される例示的な動作が示されている。実施形態に応じて、動作を追加したり、削減したり、又は異なる動作を実行したりする場合もある。図５の動作の提示の順序は限定を意図したものではない。動作５００において、１つ以上のライフスタイル推薦アプリケーションを受信する。例えば、１つ以上のライフスタイル推薦アプリケーションは、リレーショナル・データベース及び記憶された手順機能を含むことができ、スーパー・キー、複合キー、及びユニーク・キーを用いて、ミドルウェア・システム１０４によって頻繁に更新される様々なデータ・バケット／パラメータをソートする。１つ以上のライフスタイル推薦アプリケーションは、テキスト形態、オブジェクト・コード形態、又は実行可能フォーマットとすることができる。動作５０２において、受信された１つ以上のライフスタイル推薦アプリケーションをクラウド・コンピューティング・システム１０６に記憶する。動作５０４において、ユーザ提供情報を受信する。例えば、ユーザ提供情報は、家庭及び職場の住所、年齢、性別、人種、性的志向、日給、週休、月給、及び年収、投資計画及び実施、娯楽及び媒体の好み、日／週／月／年のスケジュール、消費の習慣、休暇の好み、レストランの好み、健康／医療及び運動の管理計画及び履歴、社会的習慣、政治参加、趣味、住居／住居保守情報、子供の要望、誕生日及び好き嫌いを含む家族及び友人の調査書類、人格プロファイル等を含むことができる。
【００１９】
[0025]  動作５０６において、ユーザがユーザ会計情報に対するアクセスを得て、ユーザ提供情報の一部として受信された場合、ユーザ会計情報を要求する。動作５０８において、ユーザ会計情報を受信する。例えば、ユーザ会計情報は、１つ以上のユーザ会計情報デバイス１１６ａ、・・・、１１６ｎからクラウド・コンピューティング・デバイス１０６の１つ以上のライフスタイル推薦アプリケーションがアクセスすることができるいずれかの明示的に許可されたデータを含むことができる。従って、ユーザ会計情報は、ユーザのコンピューティング・デバイスの１つ以上にあるユーザのファイル及びディレクトリから得られた情報、１つ以上のユーザ会計情報デバイス１１６ａ、・・・、１１６ｎから得られたオンライン口座、他の第三者の許可によりユーザに関連付けることができる家族、提携先、又は友人の第三者のネットワーク化コンピュータから得た情報を含むことができる。これらのシステムに対するアクセスによって、クラウド・コンピューティング・システム１０６の１つ以上のライフスタイル推薦アプリケーションは、個人用、業務用、及びベンダーの連絡先を含むユーザの連絡先に関連した情報を収集しまとめることができる。媒体コレクション、位置決めシステム（ＧＰＳ）情報、投資債権、銀行口座通知書、及びクレジット・カードの明細等の項目を利用することができる。動作５１０において、ユーザ提供情報及びユーザ会計情報を含むユーザ情報を、クラウド・コンピューティング・システム１０６に記憶する。
【００２０】
[0026]  動作５１２において、１つ以上の一般情報デバイス１１８ａ、・・・、１１８ｎから、クラウド・コンピューティング・システム１０６の１つ以上のライフスタイル推薦アプリケーションによってアクセスすることができる一般情報を監視して、ライフスタイル推薦プロセスに追加の入力を提供する。一般情報は、ニュース・サービス、天気及び交通パターン、健康情報、旅行情報、食事及び娯楽案内、交際サービス、プロフェッショナル・サービス、時刻情報、及び他の調査可能な分野からの情報を含むことができる。他の調査可能な分野は、ユーザのための推薦を決定するのに役立つ一般参照データを提供することができ、１つ以上の一般情報デバイス１１８ａ、・・・、１１８ｎから、クラウド・コンピューティング・システム１０６の１つ以上のライフスタイル推薦アプリケーションによってアクセスすることができる。
【００２１】
[0027]  動作５１４において、要求が受信されない場合、処理は動作５１２において継続して、今後ユーザのための推薦を決定するのに役立ち得る一般情報について、１つ以上の一般情報デバイス１１８ａ、・・・、１１８ｎを引き続き監視する。動作５１４において要求を受信した場合、処理は動作５１６において継続する。
【００２２】
[0028]  動作５１６において、要求において受信された情報、ユーザに関連する一般情報、及び記憶したユーザ情報に基づいて、ライフスタイル推薦を決定する。例えば、要求は、ユーザの車両が近付いている出口、車両の機能的ステータス、日付及び時刻を示すことができる。ユーザ情報は、ユーザの飲食の好みを含み、更に、ユーザの飲食習慣及びユーザのデビット・カード／クレジット・カード情報の最新のスキャンの双方に基づいてユーザが最後に飲食した時を含むことができる。最も時間に影響される情報は最初に処理することができ、この情報を、利用可能な情報に基づいて、ミドルウェア・システム１０４に最もアクセス可能である可能性が高いユーザのコンピューティング・デバイス（複数のデバイス）に送信する。例えば、クラウド・コンピューティング・システム１０６は、金曜日の夕方５時１５分にユーザがある交差点に近付いているという情報をミドルウェア・システム１０４から受信することができる。受信された情報は、車両に関する機械的な問題の指示を含まないので、クラウド・コンピューティング・システム１０６は、ユーザが近くの交差点のガソリンスタンドに車を停めることを推薦するためにその情報を優先することをしない。その代わり、クラウド・コンピューティング・システム１０６は、時刻をユーザの習慣と関連付けて、ユーザが第２の近くのレストランよりも第１の近くのレストランで頻繁に飲食していることを判定する。第１の近くのレストランで飲食する頻度に基づいて、クラウド・コンピューティング・システム１０６は、第１の近くのレストランでユーザに席を予約するために電話をかけるべきか否かを判断するため、ユーザに推薦を送信することができる。要求は、ユーザが車内にいることの指示を含むことができる。このため、クラウド・コンピューティング・システム１０６は、ミドルウェア・システム１０４によってユーザの携帯電話と連絡を取る。ミドルウェア・システム１０４は、ユーザのデバイスの要望に合うように、ユーザ・インタフェース、オペレーティング・システム、及び媒体を構成する。
【００２３】
[0029]  別の例として、クラウド・コンピューティング・システム１０６は、ユーザのデビット・カード／クレジット・カードの明細書に妻のための購入が示されていない場合、妻の誕生日が明日であることをユーザに通知することができる。この結果、クラウド・コンピューティング・システム１０６は、ユーザが妻のお気に入りのスパに立ち寄り、妻が好む施術のためのギフト券及び、スキャン又はシステム・コールにより店の在庫を確認することで入手可能であることがわかっている美容製品を選ぶことを推薦することができる。
【００２４】
[0030]  動作５１８において、決定した推薦をミドルウェア・システム１０４に送信する。処理は動作５１２において継続し、今後ユーザのための推薦を決定するのに役立ち得る一般情報について、１つ以上の一般情報デバイス１１８ａ、・・・、１１８ｎを引き続き監視する。
【００２５】
[0031]  図６を参照すると、ユーザ・コンピューティング・デバイス１０２によって実行される例示的な動作が示されている。実施形態に応じて、動作を追加したり、削減したり、又は異なる動作を実行したりする場合もある。図６の動作の提示の順序は限定を意図したものではない。動作６００において、ユーザが情報を入力するための第１の要求を受信する。例えば、ユーザは、ブラウザ・アプリケーションを用いてウェブサイトにアクセスし、これによって第１の要求をユーザ・コンピューティング・デバイス１０２に受信させることができる。動作６０２において、情報に対する要求をユーザに提示する。例えば、ユーザの選択、習慣、好き嫌い等を識別するための一連の質問をユーザに提示することができる。動作６０４において、ユーザ情報を受信する。動作６０６において、ユーザのコンピューティング・デバイスを含む１つ以上のユーザ会計情報デバイス１１６ａ、・・・、１１６ｎにアクセスするためのユーザ許可情報を受信する。動作６０８において、デバイスの種類、オペレーティング・システム、デバイスのハードウェア特性等を含むことができるユーザ・デバイス情報を受信する。動作６１０において、受信したユーザ情報、受信したユーザ許可情報、及び受信したユーザ・デバイス情報を、１つ以上のメッセージにおいてミドルウェア・システム１０４に送信する。動作６１２において、推薦システム・アプリケーション２１０を受信し、必要な場合、ユーザ・デバイス情報によって識別された１つ以上のユーザ・コンピューティング・デバイスにおいてインストールする。
【００２６】
[0032]  受信してインストールした後、必要な場合、１つ以上のユーザ・コンピューティング・デバイスは、推薦システム・アプリケーション２１０を実行する。動作６１４において、ユーザから推薦を求める要求を受信した場合、処理は動作６１８において継続する。動作６１４において推薦を求める要求が受信されない場合、処理は動作６１６において継続する。動作６１６においてユーザ位置の更新が受信されない場合、処理は動作６１７において継続する。動作６１６においてユーザ位置の更新を受信した場合、処理は動作６１８において継続する。例えば、ユーザは位置の更新を入力することができ、又は、ＧＰＳをユーザ・コンピューティング・デバイス１０２に関連付けて、例えば定期的にもしくは既定の移動距離の後に等、更新を自動的に送信するようにすることができる。動作６１７において、ユーザから、ユーザ・コンピューティング・デバイス１０２に関連したユーザ・デバイスに伴う問題を受信した場合、処理は動作６１８において継続する。動作６１７において、ユーザ・コンピューティング・デバイス１０２に関連したユーザ・デバイスに伴う問題が受信されない場合、処理は動作６１４において継続して、推薦の要求及び／又はユーザ位置更新及び／又はユーザ・デバイスに伴う問題について引き続き監視を行う。
【００２７】
[0033]  動作６１８において、要求の規定につながる動作に基づいて、要求を規定する。動作６２０において、規定された要求をミドルウェア・システム１０４に送信する。動作６２２において、ミドルウェア・システム１０４から推薦を受信する。動作６２４において、推薦をユーザ・コンピューティング・デバイス１０２に提示する。例えば、出力インタフェース２０２を用いてレストラン又はガソリンスタンドの位置を示すマップをユーザに表示することができ、出力インタフェース２０２を用いて推薦をユーザに提示することができる等である。
【００２８】
[0034]  図７を参照すると、ミドルウェア・システム１０４によって実行される例示的な動作が示されている。実施形態に応じて、動作を追加したり、削減したり、又は異なる動作を実行したりする場合もある。図７の動作の提示の順序は限定を意図したものではない。ミドルウェア・システム１０４は、アプリケーション・プログラミング・インタフェースを用いて、例えば、オペレーティング・システムの互換性、表示機能、媒体再生機能等に関連付けて、読み取り可能なデータをコンピューティング・デバイス１０２に戻すためのパラメータを定義する。動作７００において、１つ以上のライフスタイル推薦アプリケーションをクラウド・コンピューティング・システム１０６に送信する。動作７０２において、ユーザ・コンピューティング・デバイス１０２からユーザ情報を受信する。動作７０４において、受信したユーザ情報をクラウド・コンピューティング・システム１０６に送信する。動作７０６において、１つ以上の推薦システム・アプリケーション２１０を、受信したユーザ情報において識別されるユーザのコンピューティング・デバイス（複数のデバイス）に送信する。
【００２９】
[0035]  動作７０８において要求が受信されない場合、処理は動作７０８において継続して、ユーザ要求について引き続き監視を行う。動作７０８において要求を受信した場合、処理は動作７１０において継続する。動作７１０において、受信した要求をクラウド・コンピューティング・システム１０６に送信する。動作７１２において、クラウド・コンピューティング・システム１０６から推薦を受信する。動作７１４において、受信した推薦をユーザ・コンピューティング・デバイス１２０に送信する。
【００３０】
[0036]  システムは、持続的に機能し続け、ユーザ・コンピューティング・デバイス１０２がオンであるときを指摘して、ユーザによる接触を可能とする。オンであるユーザ・コンピューティング・デバイス１０２が存在しない場合、ライフスタイル推薦システム１００は電子メールで推薦を送信することができる。ユーザは、いかなる時点でも推薦の発生を停止するように、推薦をキャッシュするように、又は、ライフスタイル推薦システム１００からの登録解除を含むいずれかの方法でユーザ設定を変更するように、ライフスタイル推薦システム１００に指示することができる。また、ライフスタイル推薦システム１００は、ユーザによって選択された場合、サービス機能として、従来のメール又は配達通知を印刷することができる。このため、ユーザは、様々な通信方法を用いて、ユーザのコンピューティング・デバイスの１つ以上に対するリアル・タイムの推薦を受信することができる。いくつかの推薦は、ユーザ・デバイス情報の一部としてユーザによって送信されるパラメータに基づいて、特定のデバイスに送出することができる。例えば、明示的な反対のユーザ設定なしで、ライフスタイル推薦システム１００は、休暇の推薦をユーザのデスクトップ又はラップトップ・コンピューティング・デバイスに送信することができる。なぜなら、その種類の情報は通常、モバイル・デバイスに対する電話又はテキスト・メッセージに対してこの設定においてユーザによって得られるからである。また、この種の情報は通常、時間によって影響されない。
【００３１】
[0037]  推薦ロジック・システムは、ライフスタイル推薦システム１００に利用可能なデータに基づいて、永久的に発展及び更新が続く。プログラミングの変更は、既存の条件に基づいて自動化することができ、クラウド・コンピューティング・システム１０６によって計算される。例えば、２００７年にはサルサ・レッスンは人気がなかったが、２００８年には南ジョージア州に住む４０歳以上の夫婦に広く人気が出た場合、ライフスタイル推薦システム１００は、発表された流行及び人気リストからの新しい情報を用いて、その人口統計学のためのレジャー活動推薦データ・パラメータを更新することができる。バックアップ、アーカイブ、又は補助的な使用のために、クラウド・コンピューティング・システム１０６とミドルウェア・システム１０４との間で、データベース・ロジック全体の更新したバージョンを交換することができる。
【００３２】
[0038]  ライフスタイル推薦システム１００は、常連ユーザのために類似プログラムを生成することができる。ライフスタイル推薦システム１００は、ユーザに使用料金を課すことができ、及び／又は広告主に、ライフスタイル推薦システム１００に対するアクセスの料金を課すことができ、又は複合型の経済的な使用モデルを統合することができる。
【００３３】
[0039]  システムの態様のハードウェア実装及びソフトウェア実装の間にはほとんど区別がない。すなわち、ハードウェア又はソフトウェアの使用は、一般に（ではあるが常にではない。ある状況においてはハードウェア及びソフトウェア間の選択が重要となる場合がある）、コスト対効率のトレードオフとなる設計上の選択である。ここに記載したプロセス及び／又はシステム及び／又は他の技術を実行することができる様々な手段があり（例えばハードウェア、ソフトウェア、及び／又はファームウェア）、好適な手段は、プロセス及び／又はシステム及び／又は他の技術を展開する状況によって様々である。例えば、速度及び精度が最も重要であると実装者によって決定された場合、実装者は主としてハードウェア及び／又はファームウェアの手段を選択することができる。柔軟性が最も重要である場合、実装者は主としてソフトウェアによる実装を選択することができる。又は、代替的に、実装者は、ハードウェア、ソフトウェア、及び／又はファームウェアの何らかの組み合わせを選択することも可能である。
【００３４】
[0040]  前述の詳細な説明では、ブロック図、フローチャート、及び／又は例を用いることによって、デバイス及び／又はプロセスの様々な実施形態について述べた。かかるブロック図、フローチャート、及び／又は例が、１つ以上の機能及び／又は動作を含む限り、かかるブロック図、フローチャート、又は例における各機能及び／又は動作を、個別に及び／又は集合的に、多種多様なハードウェア、ソフトウェア、ファームウェア、又はそれらの実質的にあらゆる組み合わせによって実装可能であることは、当業者には理解されよう。一実施形態においては、ここに記載した主題のいくつかの部分を、特定用途向け集積回路（ＡＳＩＣ）、ＦＰＧＡ（Field Programmable Gate Array）、デジタル信号プロセッサ（ＤＳＰ）、又は他の集積形式によって実装することができる。しかしながら、ここに開示した実施形態のいくつかの態様は、全体的に又は部分的に、１つ以上のコンピュータ上で実行する１つ以上のコンピュータ・プログラムとして（例えば１つ以上のコンピュータ・システム上で実行する１つ以上のプログラムとして）、１つ以上のプロセッサ上で実行する１つ以上のプログラムとして（例えば１つ以上のマイクロプロセッサ上で実行する１つ以上のプログラムとして）、ファームウェアとして、又はそれらの実質的にあらゆる組み合わせとして、集積回路に同等に実装可能であること、更に、ソフトウェア及び／又はファームウェアのために回路を設計すること及び／又はコードを書くことは、本開示に鑑みて、当業者の技術の範囲内であることは、当業者には認められよう。更に、ここに記載した主題の機構は、様々な形態でプログラム製品として分散させることができること、更に、ここに記載した主題の例示的な実施形態は、この分散を実際に行うために用いられる信号記録媒体（signal bearing medium）の特定の種類に無関係に適用されることは、当業者には認められよう。信号記録媒体の例は、限定ではないが以下を含む。すなわち、フロッピ・ディスク、ハード・ディスク・ドライブ、ＣＤ、ＤＶＤ、デジタル・テープ、コンピュータ・メモリ等の記録可能型の媒体、ならびに、デジタル及び／又はアナログ通信媒体（例えば光ファイバ・ケーブル、導波路、有線通信リンク、無線通信リンク等）等の伝送型の媒体である。
【００３５】
[0041]  ここに述べた方法でデバイス及び／又はプロセスを記載し、その後でエンジニアリング的な手法を用いてかかる記載したデバイス及び／又はプロセスを統合してデータ処理システムにすることが、当技術内の一般的なことであることは、当業者には認められよう。すなわち、ここに記載したデバイス及び／又はプロセスの少なくとも一部を、妥当な量の実験によって、データ処理システムに統合することができる。典型的なデータ処理システムは、一般に、システム・ユニット筐体、ビデオ・ディスプレイ・デバイス、揮発性及び不揮発性メモリ等のメモリ、マイクロプロセッサ及びデジタル信号プロセッサ等のプロセッサ、オペレーティング・システムや、ドライバや、グラフィカル・ユーザ・インタフェースや、アプリケーション・プログラム等の計算エンティティ、タッチ・パッド又はスクリーン等の１つ以上のインタラクション・デバイス、及び／又はフィードバック・ループ及び制御モータを含む制御システム（例えば位置及び／又は速度を検知するためのフィードバック、構成要素及び／又は分量を移動させる及び／又は調節するための制御モータ）の１つ以上を含むことは、当業者には認められよう。データ・コンピューティング／通信及び／又はネットワーク・コンピューティング／通信システムにおいて通常見出されるもの等、いずれかの適切な市販の構成要素を用いて、典型的なデータ処理システムを実装することができる。
【００３６】
[0042]  ここに記載した主題は、時に、異なる他の構成要素内に含まれた、又は異なる他の構成要素と接続された、異なる構成要素を示す。かかる図示したアーキテクチャは単に例示したに過ぎず、実際、同一の機能を達成する他の多くのアーキテクチャを実施可能であることは理解されよう。概念上の意味において、同一の機能を達成するための構成要素のいかなる配置も、所望の機能を達成するように効果的に「関連付けられている」。従って、特定の機能を達成するためにここで組み合わせたいかなる２つの構成要素も、アーキテクチャ又は介在する構成要素には無関係に、所望の機能を達成するように相互に「関連付けられている」と考えることができる。同様に、そのように関連付けられたいかなる２つの構成要素も、所望の機能を達成するために相互に「動作的に接続」又は「動作的に結合」していると考えることができ、そのように関連付けることができるいかなる２つの構成要素も、所望の機能を達成するために相互に「動作的に結合可能である」と考えることができる。動作的に結合可能な具体例は、構成要素と物理的にかみ合わせ可能であること及び／又は物理的に相互作用すること及び／又は構成要素と無線で情報をやり取り可能とすること及び／又は無線で情報をやり取りすること及び／又は構成要素と論理的に情報をやり取りすること及び／又は論理的に情報をやり取り可能とすることを含むが、これらには限定されない。
【００３７】
[0043]  実質的に全ての複数形及び／又は単数形の用語をここで用いることに関して、当業者は、文脈及び／又は用途に応じて適宜、複数形から単数形及び／又は単数形から複数形に変換を行うことができる。ここでは明確さのため、様々な単数形／複数形の順列を明確に述べることができる。
【００３８】
[0044]  一般的に、ここで用いた、特に特許請求の範囲（例えば特許請求の範囲の本文）において用いた用語は、概して、「オープン」な用語であることが意図されることは、当業者には理解されよう（例えば、「〜を含んでいる」という用語は「〜を含んでいるがこれに限定されない」と解釈するものであり、「〜を有している」という用語は「少なくとも〜を有している」と解釈するものであり、「〜を含む」という用語は「〜を含むがこれに限定されない」と解釈するものである等）。更に、導入された請求項の記述（recitation）に具体的な数が意図される場合、かかる意図は特許請求の範囲において明示的に述べられる。かかる説明がない場合にはかかる意図が存在しないことは、当業者には理解されよう。例えば、理解を助けるために、特許請求の範囲は、請求項の記述の導入において、「少なくとも１つの」及び「１つ以上の」という前置きの句の使用を含む場合がある。しかしながら、かかる句の使用は、不定冠詞「ａ」又は「ａｎ」が請求項の記述に導入された場合にかかる記述を含むいずれかの特定の請求項が、記述されたものを１つしか含まない発明に限定されることを意味するように解釈されるものではない。これは、たとえ同一の請求項が「１つ以上の」又は「少なくとも１つの」という前置きの句及び「ａ」又は「ａｎ」等の不定冠詞を含む場合であっても当てはまる（例えば「ａ」及び／又は「ａｎ」は、通常、「少なくとも１つの」又は「１つ以上の」を意味するものと解釈される）。同じことが、請求項の記述の導入に定冠詞を用いる場合にも当てはまる。更に、導入された請求項の記述に具体的な数が明示的に記述された場合であっても、かかる記述が通常は、少なくとも“記述された数”を意味するように解釈されることは、当業者には認められよう（例えば、他の修飾語がない「２つの“記述対象”」という直接的な記述は通常、少なくとも２つの“記述対象”又は２つ以上の“記述対象”を意味する）。更に、「Ａ、Ｂ、及びＣ等の少なくとも１つ」に似た表記が用いられる場合、一般に、かかる構造は、当業者がこの表記を理解する意味として意図される（例えば、「Ａ、Ｂ、及びＣの少なくとも１つを有するシステム」は、Ａのみ、Ｂのみ、Ｃのみ、Ａ及びＢ、Ａ及びＣ、Ｂ及びＣ、及び／又はＡ、Ｂ、Ｃを有する等のシステムを含むがこれに限定されるわけではない）。「Ａ、Ｂ、又はＣ等の少なくとも１つ」に似た表記が用いられる場合、一般に、かかる構造は、当業者がこの表記を理解する意味として意図される（例えば、「Ａ、Ｂ、又はＣの少なくとも１つを有するシステム」は、Ａのみ、Ｂのみ、Ｃのみ、Ａ及びＢ、Ａ及びＣ、Ｂ及びＣ、及び／又はＡ、Ｂ、Ｃを有する等のシステムを含むがこれに限定されるわけではない）。更に、２つ以上の代替的な用語を表す実質的に全ての選言的な語及び／又は句は、説明、特許請求の範囲、又は図面のいずれにおいても、それらの用語の１つ、いずれか、又は双方を含む可能性を想定するように理解すべきであることは、当業者には理解されよう。例えば、「Ａ又はＢ」という句は、「Ａ」又は「Ｂ」又は「Ａ及びＢ」という可能性を含むように理解される。
【００３９】
[0045]  様々な態様及び実施形態をここに開示したが、当業者には他の態様及び実施形態が明らかであろう。ここに開示した様々な態様及び実施形態は例示の目的のためのものであり、限定として意図されるものではなく、真の範囲及び精神は特許請求の範囲によって示される。
【図１】
2010055592.tif 000003
【図２】
2010055592.tif 000004
【図３】
2010055592.tif 000005
【図４】
2010055592.tif 000006
【図５】
2010055592.tif 000007
【図６】
2010055592.tif 000008
【図７】
2010055592.tif 000009
【外国語明細書】
2010055592000001.pdf